(57)【要約】      （修正有）【課題】複数の排気口を有するプラグ安全弁を提供する。【解決手段】プラグ安全弁は、第一燃料出口１６１と、第二燃料出口と、口火燃料出口１８等とを備え、３つ以上の複数の出口チャネルが形成され、且つ収容室１２の前端の電磁弁２のガス漏れ防止安全機制と組み合わせられる。内部に収容室１２を有し、第一大型チャネル１４１、第二大型チャネル１４２、第一小型チャネル１５１、及び第二小型チャネル１５２に連接され、第一大型チャネル及び第一小型チャネルは燃料出口に連接され、第二大型チャネル及び第二小型チャネルは他の燃料出口に連接されるハウジング１を備える。回転部材３２は前記ハウジングに設置され、且つ回転部材の前端の環状壁３２２が収容室に挿入されると共に上述の各チャネルを遮蔽させる。環状壁には複数の大開口部４１及び小開口部４２が設けられ、回転によって異なるチャネルの大きさの組み合わせが選択され、火力の強さの調節装置が形成される。【選択図】図１
0003218324.tif 000002
【実用新案登録請求の範囲】
【請求項１】
内部には弁孔により連接される弁室及び収容室を有するハウジングであって、前記弁室には燃料入口が設けられ、前記収容室は第一大型チャネル、第二大型チャネル、第一小型チャネル、及び第二小型チャネルにそれぞれ連接され、前記第一小型チャネルは前記第一大型チャネルに連接され、且つ前記第一大型チャネルは第一燃料出口に連接され、前記第二小型チャネルは前記第二大型チャネルに連接され、前記第二大型チャネルは第二燃料出口に連接され、前記収容室には接合口が設けられることと、
前記弁室に設置され、且つ前記弁孔は常時閉状態を呈する電磁弁と、
操作レバー及び回転部材を含む制御ユニットであって、前記操作レバーは前記回転部材に装設され、前記回転部材は前記接合口に挿設され、且つ前記収容室の内壁に気密に当接されると共に前記第一大型チャネル、前記第二大型チャネル、前記第一小型チャネル、及び前記第二小型チャネルを遮蔽させる環状壁が延出され、前記操作レバーが押されて前記電磁弁に接触させることにより前記弁孔が押し開かれ、且つ前記回転部材が回されることにより前記環状壁が回転され、前記環状壁には複数の大開口部及び複数の小開口部が設けられ、前記環状壁の回転に従ってその内の０から１つの大開口部が前記第一大型チャネルまたは前記第二大型チャネルに対応するように連接され、同時にその内の０から１つの小開口部が前記第一小型チャネルまたは前記第二小型チャネルに対応するように連接され、或いはその内の２つの大開口部が前記第一大型チャネル及び前記第二大型チャネルにそれぞれ対応するように連接され、或いはその内の２つの小開口部が前記第一小型チャネル及び前記第二小型チャネルにそれぞれ対応するように連接され、これによって燃料の流量が調節されることとを備えることを特徴とする複数の排気口を有するプラグ安全弁。
【請求項２】
前記ハウジングには２つの微調整ネジが設置され、それぞれ末端が前記第一小型チャネル及び前記第二小型チャネル中に挿入され、且つ制御されることで選択的に封止させ、前記末端には前記第一小型チャネルまたは前記第二小型チャネルより口径が小さい第三チャネルが設けられ、且つ対応する小型チャネルに連通されることを特徴とする請求項１に記載の複数の排気口を有するプラグ安全弁。
【考案の詳細な説明】
【技術分野】
【０００１】
本考案は、ストーブに関し、より詳しくは、３つ以上の複数の排気口を有すると共に安全機制を備える火力調節装置に関する。
【背景技術】
【０００２】
コンロの火力の強さは加熱速度の速さに相関し、食材及び調理法の違いよって必要なコンロの火力の強さも変わる。このため、調理技術においては、火力の制御が非常に重要な課題である。従来のコンロはつまみを有し、これが回転されることにより流路の出口面積が制御され、燃料の流量が決定し、火力調節の目的が達成される。
【考案の概要】
【考案が解決しようとする課題】
【０００３】
ところが、つまみが回転されるに連れて流路の出口面積も徐々に変化してゆき、発生するコンロの火力も少しずつ変化するが、未経験の使用者にとってはコンロの火力の強さを精確に制御することが難しく、調理の際にコンロの火力が強くなりすぎたり、弱くなりすぎてしまい、調理が失敗したり、燃料を浪費してしまうことがある。
【０００４】
また、従来の市販される３つの排気口を有する火力調節装置は、火力調節方式が理想敵とは言えなかった、また、電磁弁のガス漏れ防止安全機制がなく、実用性が不足していた。
【０００５】
そこで、本考案者は上記の欠点が改善可能と考え、鋭意検討を重ねた結果、合理的設計で上記の課題を効果的に改善する本考案の提案に到った。
【０００６】
本考案はこうした状況に鑑みてなされたものであり、その目的は、複数の排気口を有するプラグ安全弁を提供することにある。第一燃料出口と、第二燃料出口と、口火燃料出口とを備えると共に３つ以上の複数の出口チャネルが形成され、且つ収容室の前端の電磁弁のガス漏れ防止安全機制と組み合わせられる。火力調節装置は、数段階の異なる強さの火力を出力させ、使用者が必要な火力を選択可能である。これにより、精確な火力及び燃料節約効果を達成させる。
【課題を解決するための手段】
【０００７】
上述した課題を解決し、目的を達成するために、本考案に係る複数の排気口を有するプラグ安全弁の特徴は、第一燃料出口と、第二燃料出口と、口火燃料出口とを備えると共に複数の出口チャネルが形成され、収容室の前端の電磁弁のガス漏れ防止安全機制と組み合わせられる。
火力調節装置は、内部には弁孔により連接される弁室及び収容室を有するハウジングであって、前記弁室には燃料入口が設けられ、前記収容室は第一大型チャネル、第二大型チャネル、第一小型チャネル、及び第二小型チャネルにそれぞれ連接され、前記第一小型チャネルは前記第一大型チャネルに連接され、且つ前記第一大型チャネルは第一燃料出口に連接され、前記第二小型チャネルは前記第二大型チャネルに連接され、前記第二大型チャネルは第二燃料出口に連接され、前記収容室には接合口が設けられることと、
前記弁室に設置され、且つ前記弁孔は常時閉状態を呈する電磁弁と、
操作レバー及び回転部材を含む制御ユニットであって、前記操作レバーは前記回転部材に装設され、前記回転部材は前記接合口に挿設され、且つ前記収容室の内壁に気密に当接されると共に前記第一大型チャネル、前記第二大型チャネル、前記第一小型チャネル、及び前記第二小型チャネルを遮蔽させる環状壁が延出され、前記操作レバーが押されて前記電磁弁に接触させることにより前記弁孔が押し開かれ、且つ前記回転部材が回されることにより前記環状壁が回転され、前記環状壁には複数の大開口部及び複数の小開口部が設けられ、前記環状壁の回転に従ってその内の０から１つの大開口部が前記第一大型チャネルまたは前記第二大型チャネルに対応するように連接され、同時にその内の０から１つの小開口部が前記第一小型チャネルまたは前記第二小型チャネルに対応するように連接され、或いはその内の２つの大開口部が前記第一大型チャネル及び前記第二大型チャネルにそれぞれ対応するように連接され、或いはその内の２つの小開口部が前記第一小型チャネル及び前記第二小型チャネルにそれぞれ対応するように連接され、これによって燃料の流量が調節されることとを備える。
【０００８】
前記ハウジングには口火燃料出口が設けられ、両側の第一燃料出口及び第二燃料出口と共に３つの出口チャネルを形成させ、且つ収容室の前端の電磁弁のガス漏れ防止安全機制と組み合わせられる。安全機制のない従来の３排気口火力調節装置とは異なる設計である。
【０００９】
ある実施形態では、前記ハウジングには２つの微調整ネジが設置され、それぞれ末端が前記第一小型チャネル及び前記第二小型チャネル中に挿入され、且つ制御されることで選択的に封止させる。前記末端には前記第一小型チャネルまたは前記第二小型チャネルより口径が小さい第三チャネルが設けられ、且つ対応する小型チャネルに連通される。
【図面の簡単な説明】
【００１０】
【図１】本考案に係る複数の排気口を有するプラグ安全弁を説明する分解斜視図である。
【図２】本考案が点火状態の時を示す断面概略図である。
【図３】本考案が必要な火力を選択するときの断面概略図である。
【図４】本考案が必要な火力を選択するときの断面概略図である。
【図５】本考案が微調整ネジを回す場合の使用状態の概略図である。
【考案を実施するための形態】
【００１１】
以下、図面を参照して本考案に係る複数の排気口を有するプラグ安全弁の実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１２】
本考案に係る複数の排気口を有するプラグ安全弁は、第一燃料出口１６１と、第二燃料出口１６２と、口火燃料出口１８とを備えると共に複数の出口チャネルが形成され、且つ収容室１２の前端の電磁弁２のガス漏れ防止安全機制と組み合わせられる（図１及び図２参照）。
【００１３】
前記複数の排気口を有するプラグ安全弁はハウジング１を備え、前記ハウジング１の内部には弁室１１及び収容室１２を有し、且つ弁孔１１１を介して連接される。前記弁室１１の底部には燃料入口１３が設けられ、燃料が前記弁室１１に入力される。前記弁室１１には電磁弁２が設置され、前記弁孔１１１が常時閉状態を呈し、且つ押し開かれると燃料に給気され、コンロが引火されて燃焼して火種が発生した後、信号戻り機制により電磁弁２が吸着して弁孔１１１が常時開状態に保持され、スムーズな給排気が達成される。その後、火力調節装置により数段階の異なる強さの火力が出力される。また、コンロが外に置かれる等の理由により火種が消えた場合、電磁弁２の信号戻り機制が失効し、電磁弁２が吸着を保持できなくなって開かれ、弁孔１１１が常時閉状態に戻り、ガス漏れ防止安全機制が形成される。
【００１４】
前記収容室１２の右側には第一大型チャネル１４１及び第一小型チャネル１５１が連接され、左側には第二大型チャネル１４２及び第二小型チャネル１５２が連接され、両者は前記収容室１２を中心として対称状態を呈する。上述の前記第一小型チャネル１５１は前記第一大型チャネル１４１に連接され、前記第一大型チャネル１４１は第一燃料出口１６１に連接される。前記第二小型チャネル１５２は前記第二大型チャネル１４２に連接され、前記第二大型チャネル１４２は第二燃料出口１６２に連接される。また、前記収容室１２の前側には接合口１７が設けられる。
【００１５】
前記ハウジング１の前側には火力の調節に用いられる制御ユニット３が設置され、前記制御ユニット３は操作レバー３１及び回転部材３２を備える。前記回転部材３２は前記接合口１７に挿設され、且つ前記接合口１７中に回転可能に挿入される。前記操作レバー３１は前記回転部材３２に滑動可能に装設され、且つピン３１１が前記回転部材３２の溝部３２１中に挿入される。このため、前記操作レバー３１には回転ボタン（図示省略）が更に装設され、前への推進及び回転するように制御され、前記回転部材３２は前記ピン３１１により回されることで回転する。
【００１６】
上述の前記回転部材３２には前記収容室１２内に向けて環状壁３２２が延出され、前記環状壁３２２はその周面が前記収容室１２の内壁に気密に当接され、且つ前記第一大型チャネル１４１、前記第二大型チャネル１４２、前記第一小型チャネル１５１、及び前記第二小型チャネル１５２を遮蔽させ、各チャネルが塞がれて前記収容室１２に連通されなくなる。前記環状壁３２２には複数の大開口部４１及び複数の小開口部４２が設けられ、前記環状壁３２２及び前記回転部材３２は一体に連接されて前記回転部材３２と同期で回転を行い、各開口部４１、４２も前記環状壁３２２と同期で回転を行う。各大開口部４１の回転経路は前記第一大型チャネル１４１及び前記第二大型チャネル１４２を経由し、且つ各小開口部４２の回転経路は前記第一小型チャネル１５１及び前記第二小型チャネル１５２を経由する。本実施形態において、前記大開口部４１の数量は２つであり、前記小開口部４２の数量は３つである。各大開口部４１及び各小開口部４２の設置位置は巧みに配置され、前記環状壁３２２の回転に連れてその内の０から１つの大開口部４１が前記第一大型チャネル１４１または前記第二大型チャネル１４２に対応するように連接され、同時にその内の０から１つの小開口部４２が前記第一小型チャネル１５１または前記第二小型チャネル１５２に対応するように連接される。或いは、その内の２つの大開口部４１が前記第一大型チャネル１４１及び前記第二大型チャネル１４２にそれぞれ対応するように連接される。或いは、その内の２つの小開口部４２が前記第一小型チャネル１５１及び前記第二小型チャネル１５２にそれぞれ対応するように連接される。こうして燃料の流量が調節される。
【００１７】
また、前記ハウジング１の後端には上向きの口火燃料出口１８が設けられ（前端下方は燃料入口１３）、環状壁３２２には口火チャネル４３が設けられる。制御ユニット３が回転を行うと、口火チャネル４３が口火燃料出口１８に連結された後、操作レバー３１により電磁弁２が前に押動されて常時閉状態の弁孔１１１が開かれた後、燃料が上述の連結開口部を経てコンロに給気され、電子的または手動で火種が点火される。火種により信号戻り機制が形成され、電磁弁２が吸着することで弁孔１１１が常時開状態に保持され、スムーズな給排気が達成される。次いで、火力調節装置により数段階の異なる強さの火力が出力される。また、コンロが外に置かれる等の理由により火種が消えた場合、電磁弁２の信号戻り機制が失効し、電磁弁２が吸着を保持できなくなって開かれ、弁孔１１１が常時閉状態に戻り、燃料がどの排気チャネルからも流出しなくなり、ガス漏れ防止安全機制が形成される。この機制は従来の安全機制のない火力調節装置とは異なる設計である。
【００１８】
上述の構造により、本考案が実際に使用される場合、先ず制御ユニット３が回転を行って口火チャネル４３が口火燃料出口１８に連結された後、図２に示されるように、前記操作レバー３１が前に向けて押され、前記操作レバー３１が前記収容室１２内に向けて移動される。前記電磁弁２が押し開かれて前記弁室１１が前記収容室１２に連通され、燃料が前記収容室１２に進入し、燃料が上述の連結開口部を経てコンロに給気され、電子的または手動により火種が点火される。
【００１９】
続いて、前記操作レバー３１が回転されると前記回転部材３２及び前記環状壁３２２が連動されて回転し、前記環状壁３２２の回転に従って各大開口部４１及び各小開口部４２が各チャネルに連接される状態に応じて火力の強さが調節される。より詳しくは、図３に示されるように、本考案は２つの大開口部４１が同時に前記第一大型チャネル１４１及び前記第二大型チャネル１４２にそれぞれ連接され、前記収容室１２中の燃料が高い流量で２つの燃料出口１６１、１６２をそれぞれ経由して出力される。なお、図４に示されるように、本考案は１つの大開口部４１が前記第一大型チャネル１４１に連接され、同時に１つの小開口部４２が前記第二小型チャネル１５２に連接され、前記収容室１２中の燃料が高い流量で前記第一燃料出口１６１を経て出力され、且つ低い流量で前記第二燃料出口１６２を経て出力される。
【００２０】
上述の２種類の使用状態以外、本考案は各大開口部４１及び各小開口部４２が前記環状壁３２２上に巧みに配置されるため、前記環状壁３２２の回転に従って２つの小開口部４２が同時に前記第一小型チャネル１５１及び前記第二小型チャネル１５２にそれぞれ連接され、１つの小開口部４２のみが前記第一小型チャネル１５１または前記第二小型チャネル１５２に連接され、１つの大開口部４１のみが前記第一大型チャネル１４１または前記第二大型チャネル１４２に連接される等の連接状態が形成され、２つの燃料出口１６１、１６２が異なる火力を出力させるように配置される。これにより、使用者は実際の需要に応じて前記操作レバーを回転させ、火力調節の目的を達成可能である。
【００２１】
一方、図２に示されるように、前記ハウジングの両側には微調整ネジ５がそれぞれ設置され、前記微調整ネジ５は末端５１を有し、前記末端５１には前記第一小型チャネル１５１または前記第二小型チャネル１５２より口径が小さい第三チャネル５２が設けられる。各微調整ネジ５は前記末端５１が前記第一小型チャネル１５１及び前記第二小型チャネル１５２中にそれぞれ対応するように進入し、且つ制御されてその位置が調節されることにより図５に示されるように封止させる。この際、燃料が小さい口径の第三チャネル５２のみを通過させるため、燃料の流量が減少して更なる調節効果が達成される。
【００２２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１  ハウジング
１１  弁室
１１１  弁孔
１２  収容室
１３  燃料入口
１４１  第一大型チャネル
１４２  第二大型チャネル
１５１  第一小型チャネル
１５２  第二小型チャネル
１６１  第一燃料出口
１６２  第二燃料出口
１７  接合口
１８  口火燃料出口
２  電磁弁
３  制御ユニット
３１  操作レバー
３１１  ピン
３２  回転部材
３２１  溝部
３２２  環状壁
４１  大開口部
４２  小開口部
４３  口火チャネル
５  微調整ネジ
５１  末端
５２  第三チャネル
【図１】
0003218324.tif 000003
【図２】
0003218324.tif 000004
【図３】
0003218324.tif 000005
【図４】
0003218324.tif 000006
【図５】
0003218324.tif 000007